(57)【特許請求の範囲】
【請求項１】
電子機器に配設され、商用電源から供給される電力から予め設定された複数の直流電圧を生成し、前記電子機器に配設されたデバイスに供給する電源装置であって、
商用電源から供給される電力から前記複数の直流電圧を生成する第１直流生成手段と、
商用電源から供給される電力から１の電圧値を有する直流電圧を生成する第２直流生成手段と、
前記第１直流生成手段と商用電源との間に介設され、商用電源から前記第１直流生成手段に供給する電力を遮断する遮断実行手段と、
前記第２直流生成手段から直流電圧が供給され、電源制御を行う制御手段と、
を備え、
前記制御手段は、
予め設定された所定時間毎に、前記第１直流生成手段から前記電子機器に配設されたデバイスに供給される前記複数の直流電圧の電圧値の中から最低の電圧値を最低電圧値として検出する電圧検出手段と、
前記電圧検出手段によって検出された前記最低電圧値が予め設定された電圧閾値以下であるか否かを判定する電圧判定手段と、
前記電圧判定手段によって前記電圧閾値以下であると判定された場合に、前記遮断実行手段を介して、前記第１直流生成手段に供給する電力を遮断する遮断指示手段と、
を備えることを特徴とする電源装置。
【請求項２】
前記電圧閾値は、前記複数の直流電圧に含まれる最低の電圧値が、前記第１直流生成手段を介して供給されるデバイスの動作可能な最低電圧値に設定されていることを特徴とする請求項１に記載の電源装置。
【請求項３】
前記制御手段は、
前記電圧判定手段によって前記電圧閾値以下であると判定された場合に、前記電圧判定手段によって前記電圧閾値以下であると連続して判定される回数をカウントするカウント手段と、
前記カウント手段によってカウントされた回数が予め設定された回数閾値以上であるか否かを判定する回数判定手段と、
を備え、
前記遮断指示手段は、前記回数判定手段によって前記回数閾値以上であると判定された場合に限って、前記遮断実行手段を介して、前記第１直流生成手段に供給する電力を遮断することを特徴とする請求項１又は請求項２に記載の電源装置。
【請求項４】
前記第２直流生成手段は、ＲＣＣ（Ｒｉｎｇｉｎｇ  Ｃｈｏｋｅ  Ｃｏｎｖｅｒｔｅｒ）方式のスイッチング電源からなることを特徴とする請求項１〜請求項３のいずれかに記載の電源装置。
【請求項５】
前記遮断実行手段は、リレーからなることを特徴とする請求項１〜請求項４のいずれかに記載の電源装置。
【発明の詳細な説明】
【技術分野】
【０００１】
本発明は、電子機器に配設され、商用電源から供給される電力から予め設定された所定数の電圧値を有する直流電圧を生成し、前記電子機器に配設されたデバイスに供給する電源装置に関する。
【背景技術】
【０００２】
従来、種々の電気機器において電源供給のためにスイッチング電源装置が使用されている。また、ＲＣＣ（Ｒｉｎｇｉｎｇ  Ｃｈｏｋｅ  Ｃｏｎｖｅｒｔｅｒ）方式等のスイッチング電源装置では、消費電力を低減するために、軽負荷時に間欠的なスイッチング動作をさせる場合がある。
【０００３】
また、消費電力を低減するために、出力容量が大きいメイン電源と、出力容量が小さいサブ電源と、を搭載し、ノーマルモードにおいてメイン電源からの出力を使用し、スタンバイモードにおいてサブ電源からの出力を使用する２電源方式が用いられる場合もある。
【０００４】
例えば、スイッチング電源装置をスタンバイモードにすることを示すスタンバイ信号を外部から受けて、制御回路の電源端子に制御回路が動作可能となる電圧閾値よりも低い電圧を供給させるスイッチング電源装置が提案されている（特許文献１参照）。このスイッチング電源装置によれば、２電源方式を適用した場合に消費電力を低減することができる。
【特許文献１】特開２００６−９４６７６号公報
【発明の開示】
【発明が解決しようとする課題】
【０００５】
しかしながら、上記スイッチング電源装置等の従来の電源装置では、メイン電源に接続されたデバイスにおいて短絡が発生した場合に、メイン電源を早期に確実にＯＦＦすることができないことがあり、デバイスの故障、メイン電源の発熱等が発生する虞がある。
【０００６】
本発明は、上記課題に鑑みてなされたものであって、異常発生時に簡素な構成でメイン電源を確実にＯＦＦすることの可能な電源装置を提供することを目的としている。
【課題を解決するための手段】
【０００７】
上記目的を達成するために請求項１に記載の電源装置は、電子機器に配設され、商用電源から供給される電力から予め設定された複数の直流電圧を生成し、前記電子機器に配設されたデバイスに供給する電源装置であって、商用電源から供給される電力から前記複数の直流電圧を生成する第１直流生成手段と、商用電源から供給される電力から１の電圧値を有する直流電圧を生成する第２直流生成手段と、前記第１直流生成手段と商用電源との間に介設され、商用電源から前記第１直流生成手段に供給する電力を遮断する遮断実行手段と、前記第２直流生成手段から直流電圧が供給され、電源制御を行う制御手段と、を備え、前記制御手段は、予め設定された所定時間毎に、前記第１直流生成手段から前記電子機器に配設されたデバイスに供給される前記複数の直流電圧の電圧値の中から最低の電圧値を最低電圧値として検出する電圧検出手段と、前記電圧検出手段によって検出された前記最低電圧値が予め設定された電圧閾値以下であるか否かを判定する電圧判定手段と、前記電圧判定手段によって前記電圧閾値以下であると判定された場合に、前記遮断実行手段を介して、前記第１直流生成手段に供給する電力を遮断する遮断指示手段と、を備えることを特徴としている。
【０００８】
請求項２に記載の電源装置は、請求項１に記載の電源装置であって、前記電圧閾値は、前記複数の直流電圧に含まれる最低の電圧値が、前記第１直流生成手段を介して供給されるデバイスの動作可能な最低電圧値に設定されていることを特徴としている。
【０００９】
請求項３に記載の電源装置は、請求項１又は請求項２に記載の電源装置であって、前記制御手段は、前記電圧判定手段によって前記電圧閾値以下であると判定された場合に、前記電圧判定手段によって前記電圧閾値以下であると連続して判定される回数をカウントするカウント手段と、前記カウント手段によってカウントされた回数が予め設定された回数閾値以上であるか否かを判定する回数判定手段と、を備え、前記遮断指示手段は、前記回数判定手段によって前記回数閾値以上であると判定された場合に限って、前記遮断実行手段を介して、前記第１直流生成手段に供給する電力を遮断することを特徴としている。
【００１０】
請求項４に記載の電源装置は、請求項１〜請求項３のいずれかに記載の電源装置であって、前記第２直流生成手段が、ＲＣＣ（Ｒｉｎｇｉｎｇ  Ｃｈｏｋｅ  Ｃｏｎｖｅｒｔｅｒ）方式のスイッチング電源からなることを特徴としている。
【００１１】
請求項５に記載の電源装置は、請求項１〜請求項４のいずれかに記載の電源装置であって、前記遮断実行手段が、リレーからなることを特徴としている。
【発明の効果】
【００１２】
請求項１に記載の電源装置によれば、第１直流生成手段によって、商用電源から供給される電力から所定数の電圧値を有する直流電圧が生成され、第２直流生成手段によって、商用電源から供給される電力から１の電圧値を有する直流電圧が生成される。そして、第１直流生成手段と商用電源との間に介設された遮断実行手段によって、商用電源から第１直流生成手段に供給する電力が遮断される。また、第２直流生成手段から直流電圧が供給され、電源制御を行う制御手段において、予め設定された所定時間毎に、第１直流生成手段から電子機器に配設されたデバイスに供給される所定数の電圧の最低値である最低電圧値が検出され、検出された最低電圧値が予め設定された電圧閾値以下であるか否かが判定され、電圧閾値以下であると判定された場合に、遮断実行手段を介して、第１直流生成手段に供給する電力が遮断されるため、異常発生時に簡素な構成でメイン電源（ここでは、第１直流生成手段）を確実にＯＦＦすることができる。
【００１３】
すなわち、第２直流生成手段から直流電圧が供給され、電源制御を行う制御手段において、予め設定された所定時間毎に、所定数の電圧値を有する直流電圧を生成する第１直流生成手段から電子機器に配設されたデバイスに供給される所定数の電圧の最低値である最低電圧値が検出され、検出された最低電圧値が予め設定された電圧閾値以下であると判定された場合に、遮断実行手段を介して、第１直流生成手段に供給する電力が遮断されるため、例えば、電子機器に配設されたデバイスにおいて短絡が発生した場合に、第１直流生成手段とは相違する第２直流生成手段から直流電圧が供給される制御手段において、異常の発生が検出されて、遮断実行手段を介して、第１直流生成手段に供給する電力が遮断されるので、異常発生時に簡素な構成で第１直流生成手段を確実にＯＦＦすることができるのである。
【００１４】
請求項２に記載の電源装置によれば、電圧閾値が、所定数の電圧値に含まれる最低の電圧値が、第１直流生成手段を介して供給されるデバイスの動作可能な最低電圧値に設定されているため、異常発生時に簡素な構成でメイン電源（ここでは、第１直流生成手段）を早期にＯＦＦすることができる。
【００１５】
すなわち、電圧閾値が、所定数の電圧値に含まれる最低の電圧値が供給されるデバイスの動作可能な最低電圧値に設定されているため、最低の電圧値が供給されるデバイスが正常に動作することができない状態となった場合に、第１直流生成手段がＯＦＦされるので、短絡等の異常発生を早期に検出することができるのである。
【００１６】
請求項３に記載の電源装置によれば、電圧閾値以下であると判定された場合に、電圧閾値以下であると連続して判定される回数がカウントされ、カウントされた回数が予め設定された回数閾値以上であるか否かが判定される。そして、カウントされた回数が回数閾値以上であると判定された場合に限って、遮断実行手段を介して、第１直流生成手段に供給する電力が遮断されるため、異常発生時に簡素な構成でメイン電源（ここでは、第１直流生成手段）を適正にＯＦＦすることができる。
【００１７】
すなわち、電圧閾値以下であると判定された場合に、電圧閾値以下であると連続して判定される回数がカウントされ、カウントされた回数が予め設定された回数閾値以上であると判定された場合に限って、遮断実行手段を介して、第１直流生成手段に供給する電力が遮断されるため、ノイズ等に起因して電圧閾値以下であると誤検出された場合に、第１直流生成手段に供給する電力が遮断されることを防止することができるので、異常発生時に簡素な構成でメイン電源（ここでは、第１直流生成手段）を適正にＯＦＦすることができるのである。
【００１８】
請求項４に記載の電源装置によれば、第１直流生成手段が、ＲＣＣ（Ｒｉｎｇｉｎｇ  Ｃｈｏｋｅ  Ｃｏｎｖｅｒｔｅｒ）方式のスイッチング電源からなるため、メイン電源（ここでは、第１直流生成手段）がＯＦＦされた状態（＝いわゆる、スリープ状態）での電力消費を低減することができる。
【００１９】
請求項５に記載の電源装置によれば、遮断実行手段がリレーからなるため、異常発生時に更に簡素な構成でメイン電源（ここでは、第１直流生成手段）を確実にＯＦＦすることができる。
【発明を実施するための最良の形態】
【００２０】
以下に本発明の実施形態を、図面を参照しながら説明する。図１は、本発明に係る電源装置が配設されたＤＶＤプレイヤの一例を示す構成図である。ＤＶＤプレイヤ（電子機器に相当する）は、光ピックアップ１、出力装置３、制御装置４、駆動装置５、表示部６、操作部７、及び、図略の電源装置８（図２参照）を備えている。
【００２１】
光ピックアップ１は、ＣＤ（Ｃｏｍｐａｃｔ  Ｄｉｓｋ）用ＬＤ（Ｌａｓｅｒ  Ｄｉｏｄｅ）及びＤＶＤ（Ｄｉｇｉｔａｌ  Ｖｅｒｓａｔｉｌｅ  Ｄｉｓｋ）用ＬＤを備え、再生する対象の光ディスク２（ＣＤ又はＤＶＤ）からの反射光を電気信号に変換し、光ディスク２（ＣＤ、又は、ＤＶＤ）に格納された音声情報、映像情報等の各種情報の読み取りを行うものである。ＣＤ用ＬＤは、ＣＤに格納された情報を読み取るレーザ光を照射するものである。ＤＶＤ用ＬＤ（ＤＶＤ用光源に相当する）は、ＤＶＤに格納された情報を読み取るレーザ光を照射するものである。
【００２２】
また、光ピックアップ１は、ＤＳＰ３２からの指示に従ってスレッドモータ５１によって、光ディスク２の径方向、及び、垂直方向（近接、離間方向）に移動可能に構成されている。
【００２３】
出力装置３は、光ピックアップ１からの音声情報、映像情報等の情報を、音声及び映像に変換して、それぞれ、図略のスピーカ及びモニタに出力するものであって、ＲＦアンプ３１、ＤＳＰ（Ｄｉｇｉｔａｌ  Ｓｉｇｎａｌ  Ｐｒｏｃｅｓｓｏｒ）３２、再生処理回路３３、及び、出力回路３４を備えている。ＲＦアンプ３１は、光ピックアップ１からの音声情報、映像情報等に対応する信号を増幅するものである。
【００２４】
ＤＳＰ３２及び再生処理回路３３は、ＲＦアンプ３１からの信号に対して、再生のための各種情報処理（例えば画像処理等）を施すものである。出力回路３４は、再生処理回路３３からの情報を、図略のスピーカ及びモニタに出力するためにＤＡ変換処理等を行うものである。
【００２５】
制御装置４は、操作部７を介して受け付けた指示操作に基づいて、光ピックアップ１及び駆動装置５の動作を制御するものであって、システムコントローラ４１、及びドライバ４２を備えている。システムコントローラ４１は、操作部７からの情報を受け付けてＤＳＰ３２に伝送すると共に、ＤＳＰ３２からの情報を表示部６に伝送するものである。ドライバ４２は、ＤＳＰ３２からの指示に基づいて、光ピックアップ１及び駆動装置５の動作を制御するものである。
【００２６】
駆動装置５は、スレッドモータ５１及びスピンドルモータ５２を備える。スレッドモータ５１は、ドライバ４２からの指示に基づいて光ピックアップ１を光ディスク２の径方向及び垂直方向に移動させるものである。スピンドルモータ５２は、ドライバ４２からの指示に基づいて光ディスク２を回転駆動するものである。
【００２７】
表示部６は、ＬＣＤ（Ｌｉｑｕｉｄ  Ｃｒｙｓｔａｌ  Ｄｉｓｐｌａｙ）等を備え、ＤＳＰ３２からの情報を外部から視認可能に表示するものである。操作部７は、種々の操作ボタン等を備え、ユーザからの操作を受け付けて、ＤＳＰ３２に対応する操作信号を出力するものである。電源装置８は、商用電源から供給される電力から予め設定された所定数の電圧値を有する直流電圧を生成し、ＤＶＤプレイヤ１００に配設された各種のデバイスに供給するものである。
【００２８】
図２は、本発明に係る電源装置８の構成の一例を示す構成図である。電源装置８は、ＤＶＤプレイヤ１００の適所に配設され、商用電源から供給される電力から予め設定された所定数（ここでは、５個）の電圧値（ここでは、１２Ｖ、１０Ｖ、５Ｖ、３．３Ｖ、２．５Ｖ）を有する直流電圧を生成し、ＤＶＤプレイヤ１００に配設された各種のデバイスに供給するものである。
【００２９】
図に示すように、電源装置８は、サブ直流電源８１、ＤＣ−ＤＣコンバータ８２、リレー８３、及び、メイン直流電源８４を備えている。また、ＤＳＰ３２は、サブＭＰＵ（Ｍｉｃｒｏ  Ｐｒｏｃｅｓｓｉｎｇ  Ｕｎｉｔ）３２Ａ、及び、メインＭＰＵ３２Ｂを備えている。なお、サブＭＰＵ３２Ａ（制御手段に相当する）は、本発明に係る電源装置の一部を構成するものである。
【００３０】
サブ直流電源８１（第２直流生成手段に相当する）は、小電力（例えば、１Ｗ）のＲＣＣ（Ｒｉｎｇｉｎｇ  Ｃｈｏｋｅ  Ｃｏｎｖｅｒｔｅｒ）方式のスイッチング電源からなり、商用電源から供給される電力から１の電圧値（ここでは、５Ｖ）を有する直流電圧を生成するものである。サブ直流電源８１によって生成された直流電圧は、ＤＣ−ＤＣコンバータ８２を介して、サブＭＰＵ３２Ａに供給される。
【００３１】
ＤＣ−ＤＣコンバータ８２は、サブ直流電源８１から出力される５Ｖの直流電圧を、３．３Ｖの直流電圧に変換し、サブＭＰＵ３２Ａに供給するものである。
【００３２】
リレー８３（遮断実行手段に相当する）は、メイン直流電源８４と商用電源との間に介設され、サブＭＰＵ３２Ａ（遮断指示部３２５：図３参照）からの指示に従って、商用電源からメイン直流電源８４に供給する電力を遮断するものである。
【００３３】
メイン直流電源８４（第１直流生成手段に相当する）は、大電力（例えば、５０Ｗ）ＲＣＣ方式のスイッチング電源からなり、商用電源からリレー８３を介して供給される電力から所定数（ここでは、５個）の電圧値（ここでは、１２Ｖ、１０Ｖ、５Ｖ、３．３Ｖ、２．５Ｖ）を有する直流電圧を生成するものである。
【００３４】
また、メイン直流電源８４は、生成される５個の電圧値（ここでは、１２Ｖ、１０Ｖ、５Ｖ、３．３Ｖ、２．５Ｖ）にそれぞれ対応する直流電圧出力端子８４１を備え、直流電圧出力端子８４１を介して、ＤＶＤプレイヤ１００に配設された各種デバイスに、それぞれ適合する電圧値の直流電力を供給するものである。
【００３５】
例えば、１２Ｖの直流電力は、図１に示す駆動装置５のスレッドモータ５１及びスピンドルモータ５２等に供給され、５Ｖの直流電力は、図１に示す光ピックアップ１のＣＤ用ＬＤ及びＤＶＤ用ＬＤ等に供給され、３．３Ｖの直流電力は、メインＭＰＵ３２Ｂ、図１に示す制御装置４のシステムコントローラ４１等に供給される。
【００３６】
サブＭＰＵ３２Ａ（制御手段に相当する）は、サブ直流電源８１からＤＣ−ＤＣコンバータ８２を介して３．３Ｖの電圧値を有する直流電圧が供給され、ＤＶＤプレイヤ１００の電源制御を行うものである。
【００３７】
メインＭＰＵ３２Ｂは、メイン直流電源８４から３．３Ｖの電圧値を有する直流電圧が供給され、ＤＶＤプレイヤ１００全体の動作を制御するものである。
【００３８】
図３は、本発明に係る電源装置における主要部（主にサブＭＰＵ３２Ａ）の構成の一例を示す構成図である。サブＭＰＵ３２Ａは、機能的に、電圧検出部３２１、電圧判定部３２２、カウント部３２３、回数判定部３２４、及び、遮断指示部３２５を備えている。
【００３９】
ここでは、サブＭＰＵ３２Ａが、図略のＲＯＭ（Ｒｅａｄ  Ｏｎｌｙ  Ｍｅｍｏｒｙ）等に予め格納された制御プログラムを読み出して実行することにより、電圧検出部３２１、電圧判定部３２２、カウント部３２３、回数判定部３２４、遮断指示部３２５等の機能部として機能するものである。
【００４０】
また、図略のＲＡＭ（Ｒａｎｄｏｍ  Ａｃｃｅｓｓ  Ｍｅｍｏｒｙ）及びＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしても良く、この場合、記録媒体は、例えばハードディスク、光ディスク、フレキシブルディスク、ＣＤ、ＤＶＤ、半導体メモリ等である。
【００４１】
電圧検出部３２１（電圧検出手段に相当する）は、メイン直流電源８４に対して電力が供給されている場合（＝電源ＯＦＦ状態、スタンバイ状態ではない、通常の動作が可能なＯＮ状態である場合：以下、パワーＯＮ状態という）に、予め設定された所定時間（ここでは、２０ｍｓｅｃ）毎に、メイン直流電源８４（直流電圧出力端子８４１）からＤＶＤプレイヤ１００に配設された各種のデバイスに供給される所定数（ここでは、５個）の電圧の最低値である最低電圧値Ｖｍｉｎを検出するものである。
【００４２】
すなわち、電圧検出部３２１は、直流電圧出力端子８４１に配設された、１２Ｖ、１０Ｖ、５Ｖ、３．３Ｖ、２．５Ｖの各電圧値にそれぞれ対応する端子の電圧値を検出し、検出された電圧値の中から、最低の電圧値を最低電圧値Ｖｍｉｎとして検出するものである。
【００４３】
電圧判定部３２２（電圧判定手段に相当する）は、電圧検出部３２１によって検出された最低電圧値Ｖｍｉｎが予め設定された電圧閾値Ｖｓｈ以下であるか否かを判定するものである。ここで、電圧閾値Ｖｓｈは、所定数（ここでは、５個）の電圧値（ここでは、１２Ｖ、１０Ｖ、５Ｖ、３．３Ｖ、２．５Ｖ）に含まれる最低の電圧値（ここでは、２．５Ｖ）が、メイン直流電源８４を介して供給されるデバイスの動作可能な最低電圧値（ここでは、２．０Ｖ）に設定されている。
【００４４】
カウント部３２３（カウント手段に相当する）は、電圧判定部３２２によって電圧閾値Ｖｓｈ以下であると判定された場合に、電圧判定部３２２によって電圧閾値Ｖｓｈ以下であると連続して判定される回数Ｎをカウントするものである。
【００４５】
回数判定部３２４（回数判定手段に相当する）は、カウント部３２３によってカウントされた回数Ｎが予め設定された回数閾値Ｎｓｈ（例えば、５回）以上であるか否かを判定するものである。
【００４６】
遮断指示部３２５（遮断指示手段に相当する）は、電圧判定部３２２によって電圧閾値Ｖｓｈ以下であると判定された場合に、リレー８３を介して、メイン直流電源８４に供給する電力を遮断するものである。
【００４７】
また、ここでは、遮断指示部３２５は、回数判定部３２４によって回数閾値Ｎｓｈ以上であると判定された場合に限って、リレー８３を介して、メイン直流電源８４に供給する電力を遮断するものである。すなわち、電圧判定部３２２によって電圧閾値Ｖｓｈ以下であると判定された場合であっても、回数判定部３２４によって回数閾値Ｎｓｈ未満であると判定された場合には、リレー８３を介して、メイン直流電源８４に供給する電力を遮断しない。
【００４８】
更に、ここでは、遮断指示部３２５は、電圧判定部３２２によって電圧閾値Ｖｓｈ以下であると判定された場合に、パワーＯＮ状態からスタンバイ状態へ移行させる場合と同じ手順に従ってメイン直流電源８４に供給する電力を遮断するものである。すなわち、遮断指示部３２５は、回数判定部３２４によって回数閾値Ｎｓｈ以上であると判定された場合に、まず、メインＭＰＵ３２Ｂに対してリセット信号を出力し、メインＭＰＵ３２Ｂのリセット処理が終了するタイミングで、メインＭＰＵ３２Ｂへの電力の供給を停止し、その後、リレー８３を介して、メイン直流電源８４に供給する電力を遮断するものである（図５参照）。
【００４９】
図４は、電源装置（主にサブＭＰＵ３２Ａ）の動作の一例を示すフローチャートである。まず、電圧検出部３２１によって、パワーＯＮ状態であるか否かの判定が行われる（ＳＳ１０１）。パワーＯＮ状態ではないと判定された場合（Ｓ１０１でＮＯ）には、処理が待機状態とされる。パワーＯＮ状態であると判定された場合（Ｓ１０１でＹＥＳ）には、カウント部３２３によって、回数Ｎが「０」に初期化される（Ｓ１０３）。そして、電圧検出部３２１によって、予め設定された所定時間（ここでは、２０ｍｓｅｃ）毎に、最低電圧値Ｖｍｉｎが検出される（Ｓ１０５）。
【００５０】
次いで、電圧判定部３２２によって、ステップＳ１０５において検出された最低電圧値Ｖｍｉｎが、電圧閾値Ｖｓｈ（ここでは、２．０Ｖ）以下であるか否かの判定が行われる（Ｓ１０７）。電圧閾値Ｖｓｈ（ここでは、２．０Ｖ）以下ではないと判定された場合（Ｓ１０７でＮＯ）には、処理がステップＳ１０３に戻され、ステップＳ１０３以降の処理が繰り返し実行される。電圧閾値Ｖｓｈ（ここでは、２．０Ｖ）以下であると判定された場合（Ｓ１０７でＹＥＳ）には、カウント部３２３によって、回数Ｎが１だけインクリメントされる（Ｓ１０９）。
【００５１】
そして、回数判定部３２４によって、回数Ｎが回数閾値Ｎｓｈ（例えば、５回）以上であるか否かの判定が行われる（Ｓ１１１）。回数Ｎが回数閾値Ｎｓｈ（ここでは、５回）以上ではないと判定された場合（Ｓ１１１でＮＯ）には、処理がステップＳ１０５に戻され、ステップＳ１０５以降の処理が繰り返し実行される。回数Ｎが回数閾値Ｎｓｈ（ここでは、５回）以上であると判定された場合（Ｓ１１１でＹＥＳ）には、遮断指示部３２５によって、メインＭＰＵ３２Ｂに対してリセット信号が出力される（Ｓ１１３）。そして、遮断指示部３２５によって、メインＭＰＵ３２Ｂへの電力の供給が停止される（Ｓ１１５）。次に、遮断指示部３２５によって、リレー８３を介してメイン直流電源８４に供給する電力が遮断され（Ｓ１１７）、処理が終了される。
【００５２】
図５は、遮断指示部３２５によって行われる電力の遮断処理の一例を示すタイミングチャートである。まず、回数Ｎが回数閾値Ｎｓｈ（ここでは、５回）以上であると判定された場合に、最低電圧判定信号が生成される。そして、最低電圧判定信号が生成されたタイミングから３０ｍｓｅｃ経過後に、メインＭＰＵ３２Ｂに対してリセット信号が出力される。次に、リセット信号が出力されたタイミングから１６０ｍｓｅｃ経過後（＝メインＭＰＵ３２Ｂでのリセット処理が完了した後）に、メインＭＰＵ３２Ｂへの電力の供給が停止される。次いで、メインＭＰＵ３２Ｂへの電力の供給が停止されたタイミングから５５０ｍｓｅｃ経過後に、リレー８３を介してメイン直流電源８４に供給する電力が遮断される。
【００５３】
このようにして、メイン直流電源８４によって、商用電源から供給される電力から所定数（ここでは、５個）の電圧値（ここでは、１２Ｖ、１０Ｖ、５Ｖ、３．３Ｖ、２．５Ｖ）を有する直流電圧が生成され、サブ直流電源８１によって、商用電源から供給される電力から１の電圧値（ここでは、５Ｖ）を有する直流電圧が生成される。そして、メイン直流電源８４と商用電源との間に介設されたリレー８３によって、商用電源からメイン直流電源８４に供給する電力が遮断される。また、サブ直流電源８１からＤＣ−ＤＣコンバータ８２を介して１の電圧値（ここでは、３．３Ｖ）を有する直流電圧が供給され、電源制御を行うサブＭＰＵ３２Ａにおいて、予め設定された所定時間（ここでは、２０ｍｓｅｃ）毎に、メイン直流電源８４からＤＶＤプレイヤ１００に配設されたデバイスに供給される所定数（ここでは、５個）の電圧の最低値である最低電圧値Ｖｍｉｎが検出され、検出された最低電圧値Ｖｍｉｎが予め設定された電圧閾値Ｖｓｈ（ここでは、２．０Ｖ）以下であるか否かが判定され、電圧閾値Ｖｓｈ以下であると判定された場合に、リレー８３を介して、メイン直流電源８４に供給する電力が遮断されるため、異常発生時に簡素な構成でメイン電源（ここでは、メイン直流電源８４）を確実にＯＦＦすることができる。
【００５４】
すなわち、サブ直流電源８１からＤＣ−ＤＣコンバータ８２を介して１の電圧値（ここでは、３．３Ｖ）を有する直流電圧が供給され、電源制御を行うサブＭＰＵ３２Ａにおいて、予め設定された所定時間（ここでは、２０ｍｓｅｃ）毎に、所定数（ここでは、５個）の電圧値（ここでは、１２Ｖ、１０Ｖ、５Ｖ、３．３Ｖ、２．５Ｖ）を有する直流電圧を生成するメイン直流電源８４からＤＶＤプレイヤ１００に配設されたデバイスに供給される所定数の電圧の最低値である最低電圧値Ｖｍｉｎが検出され、検出された最低電圧値Ｖｍｉｎが予め設定された電圧閾値Ｖｓｈ（ここでは、２．０Ｖ）以下であると判定された場合に、リレー８３を介して、メイン直流電源８４に供給する電力が遮断されるため、例えば、ＤＶＤプレイヤ１００に配設されたデバイスにおいて短絡が発生した場合に、メイン直流電源８４とは相違するサブ直流電源８１から直流電圧が供給されるサブＭＰＵ３２Ａにおいて、異常の発生が検出されて、リレー８３を介して、メイン直流電源８４に供給する電力が遮断されるので、異常発生時に簡素な構成でメイン直流電源８４を確実にＯＦＦすることができるのである。
【００５５】
また、電圧閾値Ｖｓｈが、所定数（ここでは、５個）の電圧値（ここでは、１２Ｖ、１０Ｖ、５Ｖ、３．３Ｖ、２．５Ｖ）に含まれる最低の電圧値（ここでは、２．５Ｖ）が、メイン直流電源８４を介して供給されるデバイスの動作可能な最低電圧値（ここでは、２．０Ｖ）に設定されているため、異常発生時に簡素な構成でメイン電源（ここでは、メイン直流電源８４）を早期にＯＦＦすることができる。
【００５６】
すなわち、電圧閾値Ｖｓｈが、所定数（ここでは、５個）の電圧値（ここでは、１２Ｖ、１０Ｖ、５Ｖ、３．３Ｖ、２．５Ｖ）に含まれる最低の電圧値（ここでは、２．５Ｖ）が供給されるデバイスの動作可能な最低電圧値（ここでは、２．０Ｖ）に設定されているため、最低の電圧値が（ここでは、２．０Ｖ）供給されるデバイスが正常に動作することができない状態となった場合に、メイン直流電源８４がＯＦＦされるので、短絡等の異常発生を早期に検出することができるのである。
【００５７】
更に、電圧閾値Ｖｓｈ（ここでは、２．０Ｖ）以下であると判定された場合に、電圧閾値以下（ここでは、２．０Ｖ）であると連続して判定される回数Ｎがカウントされ、カウントされた回数Ｎが予め設定された回数閾値Ｎｓｈ（ここでは、５回）以上であるか否かが判定される。そして、カウントされた回数Ｎが回数閾値Ｎｓｈ（ここでは、５回）以上であると判定された場合に限って、リレー８３を介して、メイン直流電源８４に供給する電力が遮断されるため、異常発生時に簡素な構成でメイン電源（ここでは、メイン直流電源８４）を適正にＯＦＦすることができる。
【００５８】
すなわち、電圧閾値Ｖｓｈ以下であると判定された場合に、電圧閾値Ｖｓｈ以下であると連続して判定される回数Ｎがカウントされ、カウントされた回数Ｎが予め設定された回数閾値Ｎｓｈ（ここでは、５回）以上であると判定された場合に限って、リレー８３を介して、メイン直流電源８４に供給する電力が遮断されるため、ノイズ等に起因して電圧閾値Ｖｓｈ以下であると誤検出された場合に、メイン直流電源８４に供給する電力が遮断されることを防止することができるので、異常発生時に簡素な構成でメイン電源（ここでは、メイン直流電源８４）を適正にＯＦＦすることができるのである。
【００５９】
加えて、サブ直流電源８１が、ＲＣＣ方式のスイッチング電源からなるため、メイン電源（ここでは、メイン直流電源８４）がＯＦＦされた状態（＝いわゆる、スリープ状態）での電力消費を低減することができる。
【００６０】
また、遮断実行手段がリレー８３からなるため、異常発生時に更に簡素な構成でメイン電源（ここでは、メイン直流電源８４）を確実にＯＦＦすることができる。
【００６１】
なお、本発明は、以下の形態にも適用可能である。
（Ａ）本実施形態では、電子機器が、ＤＶＤプレイヤ１００である場合について説明したが、電子機器が、複数の直流電圧を該電子機器に配設された種々のデバイスにそれぞれ供給するものであれば良い。例えば、電子機器が、ＨＤＤ（Ｈａｒｄ  Ｄｉｓｋ  Ｄｒｉｖｅ）レコーダ、パーソナルコンピュータ、プリンタ、ＳＴＢ（Ｓｅｔ  Ｔｏｐ  Ｂｏｘ）等である形態でも良い。
【００６２】
（Ｂ）本実施形態では、ＤＶＤプレイヤ１００が２個のＭＰＵ（サブＭＰＵ３２Ａ、メインＭＰＵ３２Ｂ）を備える場合について説明したが、ＤＶＤプレイヤ１００が１個のＭＰＵを備える形態でも良い。
【００６３】
（Ｃ）本実施形態では、サブＭＰＵ３２Ａが、電圧検出部３２１、電圧判定部３２２、カウント部３２３、回数判定部３２４、遮断指示部３２５等の機能部として機能する場合について説明したが、電圧検出部３２１、電圧判定部３２２、カウント部３２３、回数判定部３２４、及び、遮断指示部３２５の内、少なくとも１の機能部が、回路等のハードウェアとして実現されている形態でも良い。
【００６４】
（Ｄ）本実施形態では、サブ直流電源８１及びメイン直流電源８４が、ＲＣＣ方式のスイッチング電源からなる場合について説明したが、サブ直流電源８１及びメイン直流電源８４の少なくとも一方が、その他の方式（例えば、ステップダウン方式）のスイッチング電源からなる形態でも良い。
【００６５】
（Ｅ）本実施形態では、遮断実行手段がリレー８３からなる場合について説明したが、遮断実行手段がその他のスイッチ（例えば、半導体スイッチ等）からなる形態でも良い。
【００６６】
（Ｆ）本実施形態では、遮断指示部３２５が、回数判定部３２４によって回数閾値Ｎｓｈ以上であると判定された場合に限って、メイン直流電源８４に供給する電力を遮断する場合について説明したが、遮断指示部３２５が、電圧判定部３２２によって電圧閾値Ｖｓｈ以下であると判定された場合に、メイン直流電源８４に供給する電力を遮断する形態でも良い。この場合には、異常発生時に早期にメイン直流電源８４をＯＦＦすることができる。
【００６７】
（Ｇ）本実施形態では、サブ直流電源８１がＤＣ−ＤＣコンバータ８２を介してサブＭＰＵ３２Ａに直流電力を供給する場合について説明したが、サブ直流電源８１が直接サブＭＰＵ３２Ａに直流電力を供給する形態でも良い。この場合には、構造が簡略化される。
【図面の簡単な説明】
【００６８】
【図１】は、本発明に係る電源装置が配設されたＤＶＤプレイヤの一例を示す構成図である。
【図２】は、本発明に係る電源装置の構成の一例を示す構成図である。
【図３】は、本発明に係る電源装置における主要部（主にサブＭＰＵ）の構成の一例を示す構成図である。
【図４】は、電源装置（主にサブＭＰＵ）の動作の一例を示すフローチャートである。
【図５】は、遮断指示部によって行われる電力の遮断処理の一例を示すタイミングチャートである。
【符号の説明】
【００６９】
１００    ＤＶＤプレイヤ（電子機器）
３    出力装置
３２    ＤＳＰ
３２Ａ    サブＭＰＵ（制御手段）
３２１    電圧検出部（電圧検出手段）
３２２    電圧判定部（電圧判定手段）
３２３    カウント部（カウント手段）
３２４    回数判定部（回数判定手段）
３２５    遮断指示部（遮断指示手段）
３２Ｂ    メインＭＰＵ
８    電源装置
８１    サブ直流電源（第２直流生成手段）
８２    ＤＣ−ＤＣコンバータ
８３    リレー（遮断実行手段）
８４    メイン直流電源（第１直流生成手段）
８４１    直流電圧出力端子
【図１】
0004513850.tif 000002
【図２】
0004513850.tif 000003
【図３】
0004513850.tif 000004
【図４】
0004513850.tif 000005
【図５】
0004513850.tif 000006